(57)【要約】インタレース処理されたビデオをプログレッシブビデオに変換する方法５００は、少なくとも１つのピクチャを表すビデオ信号を受信するステップ５０５、及び少なくとも１つのピクチャがプログレッシブであるかを判定するステップ５１０を含んでいる。プログレッシブピクチャの判定に応じて、前に送出されたフィールド及び直ぐ後に続くフィールドが同じプログレッシブピクチャからのフィールドであるかを識別するため、垂直同期信号が選択的に変更される６１５，６５０。
2005525754.tif 000002
【特許請求の範囲】
【請求項１】
インタレース処理されたビデオをプログレッシブビデオに変換する方法であって、
少なくとも１つのピクチャを表すビデオ信号を受信するステップと、
該少なくとも１つのピクチャがプログレッシブであるかを判定するステップと、
プログレッシブピクチャの判定に応じて、前に送出されたフィールド及び直ぐ後に続くフィールドが同じプログレッシブピクチャからのフィールドであるかを識別するため、垂直同期信号を選択的に変更するステップと、
を備えることを特徴とする方法。
【請求項２】
前に送出されたフィールド及び直ぐ後に続くフィールドが同じプログレッシブピクチャからのフィールドではないかを識別するため、垂直同期信号を選択的に変更するステップをさらに備える、
ことを特徴とする請求項１記載の方法。
【請求項３】
該プログレッシブピクチャの最初のフィールドを確定するステップをさらに備える、
ことを特徴とする請求項１記載の方法。
【請求項４】
該選択的に変更するステップは、
プログレッシブピクチャの最初のフィールド、該最初のフィールドではないプログレッシブピクチャのフィールド、又はノンプログレッシブピクチャのフィールドを識別するため、該垂直同期信号を変更するステップをさらに備える、
請求項３記載の方法。
【請求項５】
該ビデオ信号を、該変更された垂直同期信号を有するインタレース処理されたビデオ信号に変換するステップをさらに備える、
ことを特徴とする請求項１記載の方法。
【請求項６】
該変更された垂直同期信号に従ってフィールドマージ処理又は動き適応処理を適用することで、該変更された垂直同期信号を有する該インタレース処理されたビデオ信号をプログレッシブビデオ信号に変換するステップをさらに備える、
ことを特徴とする請求項５記載の方法。
【請求項７】
該プログレッシブビデオ信号をＬＣＯＳ（Ｌｉｑｕｉｄ  Ｃｒｙｓｔａｌ  Ｏｎ  Ｓｉｌｉｃｏｎ）イメージング装置に供給するステップをさらに備える、
ことを特徴とする請求項６記載の方法。
【請求項８】
該プログレッシブビデオ信号をＬＣＯＳ（Ｌｉｑｕｉｄ  Ｃｒｙｓｔａｌ  Ｏｎ  Ｓｉｌｉｃｏｎ）イメージング装置を有する高精細テレビ受像機に供給するステップをさらに備える、
ことを特徴とする請求項６記載の方法。
【請求項９】
該垂直同期信号はパルス信号であり、該垂直同期信号を変更する該ステップは、固有のパルス幅を有する２つのパルスのうちの少なくとも１つを含むために該垂直同期信号を選択的にパルス幅変調するステップを備える、
ことを特徴とする請求項２記載の方法。
【請求項１０】
該垂直同期信号はパルス信号であり、該垂直同期信号を変更する該ステップは、固有のパルス幅を有する３つのパルスのうちの少なくとも１つを含むために該垂直同期信号を選択的にパルス幅変調するステップを備える、
ことを特徴とする請求項４記載の方法。
【請求項１１】
該受信するステップは、該ビデオ信号を表すビデオデータストリームを受信するステップを備える、
ことを特徴とする請求項１記載の方法。
【請求項１２】
該確定するステップは、該受信されたビデオデータストリームにおけるヘッダ情報を調べるステップを備える、
ことを特徴とする請求項１１記載の方法。
【請求項１３】
該受信するステップは、ＭＰＥＧ（Ｍｏｖｉｎｇ  Ｐｉｃｔｕｒｅ  Ｅｘｐｅｒｔｓ  Ｇｒｏｕｐ）ビデオデータストリームを受信するステップを備える、
ことを特徴とする請求項１１記載の方法。
【請求項１４】
インタレース処理されたビデオをプログレッシブビデオに変換するシステムであって、
インタレース処理されたビデオ信号を形成するため、プログレッシブピクチャとノンプログレッシブピクチャを規定するＭＰＥＧ（Ｍｏｖｉｎｇ  Ｐｉｃｔｕｒｅ  Ｅｘｐｅｒｔｓ  Ｇｒｏｕｐ）ビデオデータストリームを復号化するデコーダであって、連続するフィールドのうちのどのフィールドが同じプログレッシブピクチャからのフィールドであるかを識別するため、垂直同期信号を選択的にパルス幅変調するデコーダと、
該デコーダに接続され、選択的にパルス幅変調された垂直同期信号に従って、該インタレース処理されたビデオ信号をプログレッシブビデオ信号に変換するデインタレーサと、
を備えることを特徴とするシステム。
【請求項１５】
該デコーダは、プログレッシブピクチャの最初のフィールド、該最初のフィールドではないプログレッシブピクチャのフィールド、及びノンプログレッシブピクチャのフィールドを識別するために構成される、
ことを特徴とする請求項１４記載のシステム。
【請求項１６】
該デコーダは、先に送出されたフィールド及び直ぐ後に続くフィールドが同じプログレッシブピクチャからのフィールドであることを識別するために構成される、
ことを特徴とする請求項１４記載のシステム。
【請求項１７】
該デコーダは、先に送出されたフィールド及び直ぐ後に続くフィールドが同じプログレッシブピクチャからのフィールドではないことを識別するために構成される、
ことを特徴とする請求項１６記載のシステム。
【請求項１８】
該プログレッシブビデオ信号を表示するためのＬＣＯＳ（Ｌｉｑｕｉｄ  Ｃｒｙｓｔａｌ  Ｏｎ  Ｓｉｌｉｃｏｎ）イメージング装置をさらに備える、
ことを特徴とする請求項１４記載のシステム。
【請求項１９】
該プログレッシブビデオ信号を表示するためのＬＣＯＳ（Ｌｉｑｕｉｄ  Ｃｒｙｓｔａｌ  Ｏｎ  Ｓｉｌｉｃｏｎ）イメージング装置を有するビデオディスプレイをさらに備える、
ことを特徴とする請求項１４記載のシステム。
【請求項２０】
該インタレーサは、該パルス幅変調された垂直同期信号に従ってフィールドマージ処理又は動き適応処理を選択的に適用する、
ことを特徴とする請求項１４記載のシステム。
【請求項２１】
ＭＰＥＧ（Ｍｏｖｉｎｇ  Ｐｉｃｔｕｒｅ  Ｅｘｐｅｒｔｓ  Ｇｒｏｕｐ）ビデオデータストリームをインタレース処理されたビデオ信号に変換するために構成されるデコーダであって、
該ＭＰＥＧビデオデータストリームは、プログレッシブピクチャとノンプログレッシブピクチャを規定し、該デコーダは、連続するフィールドのうちのどのフィールドが同じプログレッシブピクチャからのフィールドであることを識別するため、垂直同期信号を形成するパルスの幅を選択的に変調する、
ことを特徴とするデコーダ。
【請求項２２】
プログレッシブピクチャの最初のフィールド、該最初のフィールドではないプログレッシブピクチャのフィールド、及びノンプログレッシブピクチャのフィールドを識別するために構成される、
ことを特徴とする請求項２１記載のデコーダ。
【請求項２３】
前に送出されたフィールド及び直ぐ後に続くフィールドが同じプログレッシブピクチャからのフィールドであることを識別するために構成される、
ことを特徴とする請求項２１記載のデコーダ。
【請求項２４】
前に送出されたフィールド及び直ぐ後に続くフィールドが同じプログレッシブピクチャからのフィールドではないことを識別ために構成される、
ことを特徴とする請求項２３記載のデコーダ。
【発明の詳細な説明】
【技術分野】
【０００１】
本発明は、ＭＰＥＧ（Ｍｏｖｉｎｇ  Ｐｉｃｔｕｒｅ  Ｅｘｐｅｒｔｓ  Ｇｒｏｕｐ）画像の復号化の分野に関し、より詳細には、インタレース処理されたビデオをプログレッシブビデオに変換するため、ＭＰＥＧビデオ系列の復号化において使用される情報をデコーダのハードウェアから外部装置に転送する方法及びシステムに関する。
【背景技術】
【０００２】
デインタレーサがＭＰＥＧ（Ｍｏｖｉｎｇ  Ｐｉｃｔｕｒｅ  Ｅｘｐｅｒｔｓ  Ｇｒｏｕｐ）復号化信号に関して動作するとき、デインタレーサは、プログレッシブピクチャの完全なデインタレースを達成することができる。しかし、このことは、どのフィールドが画像を開始するかを知ることに応じて調整される。インタレース処理されたビデオをプログレッシブビデオに適切に変換するため、この情報は、ＭＰＥＧデコーダからデインタレース回路に供給される必要がある。
【０００３】
従来、デインタレーサは、この情報を使用していないか、又はＭＰＥＧデコーダと同じ集積回路にあるかのいずれかであった。結果として、この情報は、デインタレーサに供給される必要がなかった。今日、製品はＭＰＥＧデコーダから分離して構成されるデインタレーサを含んでいるので、デインタレーサは、この情報をＭＰＥＧデコーダとは独立に決定する必要があるか、又はＭＰＥＧデコーダがデインタレーサに情報を供給する必要がある。
【０００４】
現在のところ、どのフィールドが画像を開始するかを独立に判定することは、デインタレーサにとって問題である。例示において、ある種のデインタレーサにより使用される１つの技術は、どのフィールドがピクチャを開始するかを判定するため、ビデオ信号の画素を分析することである。しかし、かかる分析は、複雑であり、誤りとなる傾向にある。
【０００５】
ＭＰＥＧデコーダからデインタレーサにフィールド情報を供給するための技術が提案されているが、問題点を含んでもいる。たとえば、１つの提案されるソリューションは、プログレッシブピクチャの最初のフィールドの直前の垂直同期パルスのパルス幅を変更することを含んでいる。垂直同期パルスのパルス幅は、プログレッシブピクチャの最初のフィールドではないフィールドについて通常の幅に戻される。
【０００６】
しかし、このソリューションは、欠陥に苦しむ。特に、プログレッシブピクチャがピクチャ当たり２つのフィールドを超えて転送されるケースでは特に、プログレッシブピクチャとノンプクログレッシブピクチャが結合されたものを処理するときに不明確さが生じる可能性がある。たとえば、３−２プルダウンフォーマットにおけるフィルムベースのマテリアルは、ノンプログレッシブ系列で散在される可能性がある。ここで、プログレッシブピクチャの３以上のフィールドとノンプログレッシブピクチャのフィールドとの間に区別がないという事実のため、不正確さが生じる。デインタレーサは、フィールドマージ処理又は動き適応処理がピクチャをデインタレースするために使用されるべきかを判定するため、この情報を必要とする。間違ったデインタレースモードが選択された場合、結果的に得られるピクチャ内の著しい動きのアーチファクト、又は低品質のデインタレース処理されたフレームのいずれかである。
【０００７】
したがって、上述された問題点を克服するデインタレーサ及び方法が必要とされている。
【発明の開示】
【課題を解決するための手段】
【０００８】
本明細書で開示される発明は、インタレース処理されたビデオのプログレッシブビデオへの変換において使用するための情報を転送する方法、装置及びシステムを提供するものである。特に、プログレッシブピクチャがＭＰＥＧ（Ｍｏｖｉｎｇ  Ｐｉｃｔｕｒｅ  Ｅｘｐｅｒｔｓ  Ｇｒｏｕｐ）デコーダでデコードされるとき、垂直同期信号は、マージすることができる連続的なピクチャのフィールド及びマージすることができない連続的なピクチャのフィールドを示すため、選択的にパルス幅変調することができる。
【０００９】
本発明の１態様は、インタレース処理されたビデオをプログレッシブビデオに変換する方法を含んでいる。本方法は、１以上のピクチャを表すビデオ信号を受信するステップ、及び該１以上のピクチャがプログレッシブであるかを判定するステップを含んでいる。プログレッシブピクチャの判定に応答して、予め送出されたフィールド、直後に続くフィールドが同じプログレッシブピクチャからのフィールドであることを識別するため、垂直同期信号が選択的に変更される。
【００１０】
本発明の別の態様は、インタレース処理されたビデオをプログレッシブビデオに変換するシステムを含んでいる。本システムは、受信されたＭＰＥＧビデオデータストリームをインタレース処理されたビデオ信号に変換するために構成されるデコーダを含んでいる。ＭＰＥＧビデオデータストリームは、プログレッシブピクチャとノンプログレッシブピクチャを規定することができる。デコーダは、連続するフィールドのうちのどのフィールドが同じプログレッシブピクチャからのフィールドであるかを識別するため、垂直同期信号を選択的にパルス幅変調することができる。システムは、選択的にパルス幅変調された垂直同期信号に基づいて、インタレース処理されたビデオ信号をプログレッシブビデオ信号に変換するために構成されるデインタレーサをさらに含んでいる場合がある。
【００１１】
本発明の別の態様は、受信されたＭＰＥＧビデオデータストリームをインタレース処理されたビデオ信号に変換するために構成されるデコーダを含んでいる。ＭＰＥＧビデオデータストリームは、プログレッシブピクチャとノンプログレッシブピクチャを規定することができる。デコーダは、連続するフィールドのうちのどのフィールドが同じプログレッシブピクチャからのフィールドであるかを識別するため、垂直同期信号を選択的にパルス幅変調するために構成することができる。
【００１２】
これに応じて、本発明は、どのフィールドが画像を開始したかをデインタレーサが独立に判定しなければならないことから解放する。さらに、本発明は、プログレッシブピクチャの３以上のフィールドとノンプログレッシブピクチャのフィールドとを区別することができ、これにより視覚的なアーチファクト及び標準的なデインタレース処理されたフレームにおいて生じる不正確さを除くことができる。
【００１３】
本発明の好適な実施の形態が添付図面において示されるが、本発明は図示される正確な構成及び手段に限定されるものではない。
【発明を実施するための最良の形態】
【００１４】
本明細書で開示される発明は、インタレース処理されたビデオのプログレッシブビデオへの変換において使用するための情報を転送する方法及びシステムを提供する。より詳細には、本発明は、インタレース処理されたビデオのプログレッシブビデオへの変換において使用するためのＭＰＥＧ（Ｍｏｖｉｎｇ  Ｐｉｃｔｕｒｅ  Ｅｘｐｅｒｔｓ  Ｇｒｏｕｐ）ビデオ系列の復号化において得られた情報のデコーダハードウェアから外部装置への転送を提供する。本方法は、たとえば、ＬＣＯＳ（Ｌｉｑｕｉｄ  Ｃｒｙｓｔａｌ  Ｏｎ  Ｓｉｌｉｃｏｎ）イメージング装置を有する高精細テレビジョン（ＨＤＴＶ：  Ｈｉｇｈ  Ｄｅｆｉｎｉｔｉｏｎ  ＴｅｌｅＶｉｓｉｏｎ）受像機で実現することができる。
【００１５】
図１は、本明細書で開示される本発明の構成に係るインタレース−プログレッシブ走査変換を実行するための例示的な走査変換システム１００を例示する図である。図１に示されるように、走査変換システム１００は、ビデオプロセッサ１４０に作用的に接続されるデコーダ１１０を含んでいる。たとえば、デコーダ１１０は、ＭＰＥＧ２ビデオデコーダモジュールとすることができ、ビデオプロセッサ１４０は、インタレース−プログレッシブビデオプロセッサとすることができる。
【００１６】
ビデオデータストリームは、走査変換システム１００に供給される。デコーダ１００は、受信されたデータストリームを処理して、アナログビデオコンポーネント信号１３０及び同期信号を出力する。同期信号１２０は、水平同期信号と垂直同期信号を含んでいる。特に、垂直同期信号は、パルス期間Ｔを有するパルス信号である。垂直同期信号は、どのフィールドが同じプログレッシブピクチャからのフィールドではないか、又は全然プログレッシブでないか、したがってマージすべきではないかと同様に、どのフィールドが同じプログレッシブピクチャからのフィールドであるか、及びそのフィールドをマージすることができるかを示すため、デコーダ１１０により変更することができる。たとえば、ノンプログレッシブピクチャのフィールドと同様に、プログレッシブピクチャの最初のフィールドの、最初のフィールドではないプログレッシブピクチャのフィールドを示すため、デコーダ１１０は、垂直同期信号を変更することができる。結果として得られる信号１２０及び１３０は、インタレース処理されたビデオ信号からプログレッシブビデオ信号への変換のためにビデオプロセッサ１４０に供給される。ビデオ信号の変換の後、結果的に得られるプログレッシブビデオ信号は、イメージング装置すなわちディスプレイ１５０に供給される。特に、イメージング装置は、ＨＤＴＶ受像機との使用のためにＬＣＯＳイメージング装置とすることができる。しかし、本発明は、かかるディスプレイトポロジーに限定されるものではなく、順次走査された画像を表示可能な画像表示方法にも同様に適用可能である。
【００１７】
図２は、インタレース走査−順次走査変換を実行する別の例示的な走査変換を示すブロック図である。図２に示されるように、走査変換システム２００は、ＭＰＥＧビデオデコーダモジュール（ＭＰＥＧデコーダ）２１０、インタレース−プログレッシブビデオ処理システム（デインタレーサ）２２０及びプロセッサ２０５を含んでいる。ＭＰＥＧデコーダ２１０は、ＭＰＥＧ２データストリーム２０１をビデオ信号に変換する。デインタリーバ２２０は、結合されたプログレッシブ系列とノンプログレッシブ系列を有するインタレース処理されたビデオ信号を受け、その信号をプログレッシブビデオ信号（ＶＰ）に変換する。プロセッサ２０５は、ＭＰＥＧデコーダ２１０とデインタレーサ２２０の動作を調整する。上述されたコンポーネントのそれぞれは、たとえば、データ通信バス又は他の適切な接続回路である、適切なデータコネクションを通して通信可能にリンクされる。
【００１８】
図２に示されるように、ＭＰＥＧ２データストリーム２０１は、デコーダ２１０により受信される。ＭＰＥＧデコーダ２１０は、受信されたデータストリームを処理して出力を生成する。ＭＰＥＧデコーダ２１０の出力は、インタレース信号として転送される、アナログコンポーネントビデオ信号（Ｖｉ）に２つの他の信号、特に水平同期信号（Ｈｓｙｎｃ）及び垂直同期信号（Ｖｓｙｎｃ）を加えたものを含んでいる。３つのコンポーネントビデオ信号は、デジタル信号に変換され、２つの同期信号と共にデインタレーサ２２０に送出される。
【００１９】
ＭＰＥＧデコーダ２１０は、ピクチャがプログレッシブであるか、ノンプログレッシブであるかを判定するため、データストリームにより規定されるピクチャのピクチャヘッダビットを調べる。ピクチャがプログレッシブピクチャであると判定された場合、プログレッシブピクチャの最初のフィールドを判定するため、ヘッダビットがさらに分析される。ＭＰＥＧデコーダ２１０は、幾つかの異なる条件のうちの１つを示すため、垂直同期信号（Ｖｓｙｎｃ）を選択的にパルス幅変調する。ＭＰＥＧデコーダ２１０は、プロセッサ２０５の制御下で動作する。また、ＭＰＥＧデコーダ２１０は、必要であれば、同期パルス毎に垂直同期パルスの幅を変更可能である。
【００２０】
図３に示される１実施の形態によれば、垂直同期信号は、３つの可能な条件のうちの１つを示すために選択的にパルス幅変調される。特に、垂直同期パルスの期間Ｔは、次に続くフィールドがプログレッシブピクチャの最初のフィールド、最初のフィールドではないプログレッシブピクチャのフィールド、又はプログレッシブピクチャのフィールドであるかを示すために増加又は減少される。たとえば、固有のパルス幅Ｔ１，Ｔ２及びＴ３は、上述された条件のそれぞれと関連される。これに応じて、あるフィールドの直前の幅Ｔ（ｎ）を有するパルスは、３つのフィールドのタイプのうちのどれが来るべきフィールドタイプであるかをデインタリーバ２２０に示す。
【００２１】
図４に示される本発明の別の態様では、垂直同期信号は、２つの異なる条件のうちの１つを示すため、選択的にパルス幅変調される。第一の条件は、垂直同期パルスの直前のフィールド及び直後のフィールドが同じプログレッシブピクチャからのフィールドであることであり、したがってマージすることができる。第二の条件は、垂直同期パルスの直前のパルス及び直後のパルスが同じプログレッシブピクチャからのパルスではないか、又は全然プログレッシブではないことであり、したがってマージすることができる。
【００２２】
当業者であれば、固有なパルス幅が本明細書で開示される条件のそれぞれと関連される限り、本発明の特定の実施の形態に依存して、パルス幅を増加又は減少することができることを理解されるであろう。しかし、垂直同期パルスのリーディングエッジは、垂直同期のタイミングを保持するために不可侵のままである必要がある点が理解される。
【００２３】
図３は、正のパルスとして示される通常の垂直同期信号、及び本発明の構成に従い変調された垂直同期信号との間の違いを例示している。図３に示されるように、変調された垂直同期信号は、３つの異なる幅Ｔ１，Ｔ２及びＴ３のパルスを含んでいる。これに応じて、幅Ｔ１を有するパルス３０５は、直後のフィールドがノンプログレッシブピクチャのフィールドであることを示す。幅Ｔ２を有するパルス３１０は、直後のパルスが最初のフィールドのプログレッシブピクチャであることを示している。幅Ｔ３を有するパルス３１５は、直後のフィールドが最初のフィールドではないプログレッシブピクチャのフィールドであることを示している。
【００２４】
また、図４は、正のパルスをもつ図示される通常の垂直同期信号と、本明細書で開示される本発明の構成の別の態様に係る変調された垂直同期信号との間の違いを例示している。図４に示されるように、変調された垂直同期信号は、幅Ｔ１及びＴ２を有する２つのパルスを含んでいる。パルス４０５及び４１５は、それぞれ幅Ｔ１を有しており、これらのパルスの直前のフィールド及び直後のフィールドをマージすべきではないことを示している。たとえば、フィールドは、同じピクチャからのものではないか、又はプログレッシブではない場合がある。パルス４１０及び４２０は、それぞれ幅Ｔ２を有しており、これらのパルスの直前のフィールド及び直後のフィールドをマージできること示している。かかる内容は、たとえば、フィールドが同じプログレッシブピクチャからのフィールドであるときに当てはまる。
【００２５】
したがって、図４に示されるように、パルス４１０は、フィールドＡ及びＢをマージすることができることを示している。パルス４１５は、フィールドＢ及びＣをマージすることができないことを示している。パルス４２０は、フィールドＣ及びＤをマージすることができることを示している。これに応じて、図４の「出力フレーム」ラインで示されるように、変調された垂直同期信号は、フィールドＡがフィールドＡをフィールドＢでマージすることで完全にデインタレースできることを示している。同様に、垂直同期信号は、フィールドＣがフィールドＤで完全にデインタレースされることを示している。この実施の形態では、デインタレーサは、適切なデインタレースモードを実現するため、２つのフィールド周期を復活させることのみが必要である。
【００２６】
本発明の構成は、図示されたような変更された垂直同期信号の生成及び使用のみを意図しておらず、必要であれば、好ましくは自動的に、通常の垂直同期信号と変更された垂直同期信号との間で切り替えるキャパシティをも意図している。本明細書で開示される発明の構成により、適切に構成されたデインタレーサは、フィールドのマージ処理又は動き適応処理が使用されるべきであるかを判定することができる。
【００２７】
図５は、インタレース処理されたビデオのプログレッシブビデオへの変換において使用するための情報を転送するための例示的な方法を示すフローチャート５００を示している。本方法５００はステップ５０５で開始し、ここで、ピクチャを含むビデオ信号が受信される。ステップ５１０では、受信されたビデオ信号が分析され、該受信されたビデオ信号に含まれるピクチャがプログレッシブピクチャであるかが判定される。ピクチャの画素の分析により、かかる情報がわかる。ＭＰＥＧデータストリームに関して、ＭＰＥＧのヘッダ情報を調べることで判定が行われる。
【００２８】
ピクチャがノンプログレッシブである場合、本方法は、ステップ５４５に分岐し、ここで、垂直同期パルスの幅は、後に続くフィールドがノンプログレッシブであることを示すＴ１に設定される。パルスのリーディングエッジのタイミングが保持される。これに応じて、ステップ５５０では、ノンプログレッシブフィールドが提供される。ステップ５５０の後、本方法は、ステップ５０５に続き、更なるビデオ信号の処理が必要に応じて繰り返される。
【００２９】
ステップ５１０において、受信されたピクチャがプログレッシブであると判定された場合、本方法は、ステップ５１５に続く。ステップ５１５では、受信されたフレームのどのフィールドが始めに表示されるべきかに関して判定が行われる。ＭＰＥＧビデオデータストリームが受信された場合、再び、ＭＰＥＧヘッダ情報を調べることで、この判定が行われる。ステップ５２０では、垂直同期信号のパルス幅はＴ２に設定され、これにより最初のフィールドのプログレッシブピクチャが直ぐ後に続くことが示される。パルスのリーディングエッジのタイミングが保持される。したがって、ステップ５２５では、最初のフィールドの受信されたフレームは、たとえば、インタレース−プログレッシブビデオプロセッサに供給される。
【００３０】
ステップ５３０では、垂直同期信号のパルス幅は、最初のフィールドではないプログレッシブピクチャのフィールドが来るべきフィールドとなることを示すＴ３に設定される。説明されたように、パルスのリーディングエッジのタイミングが保持される。ステップ５３５では、第二のフィールドすなわち次のフィールドのフレームが供給される。ステップ５３５の終了の後、本方法は、ステップ５４０に続く。
【００３１】
ステップ５４０では、ステップ５３５でまさに供給されたフィールドは最後のフィールドのピクチャであったかに関して判定が行われる。最後のフィールドであった場合、本方法は、ステップ５０５に続き、さらにビデオ信号の処理が必要に応じて繰り返される。フィールドが最後のフィールドのピクチャでない場合、本方法はステップ５３０に続き、ここで、垂直同期信号のパルス幅はＴ３のままで設定され、別のフィールドのフレームが供給される。本方法は、フレームのそれぞれのフィールドが供給されるまで、ステップ５３０，５３５及び５４０を必要に応じて繰り返す。
【００３２】
図６は、インタレースビデオをプログレッシブビデオに変換することにおいて使用するための情報を転送する別の例示的な方法を示すフローチャート６００である。本方法６００は、ピクチャを含むビデオ信号が処理のために受信される状態で開始される。これに応じて、ステップ６０５では、たとえば、ＨＤＴＶ受像機のような出力装置に送出されるべき最初の２つのフィールドは、フィールドＡ及びＢとして識別される。ステップ６１０では、フィールドＡが送出される。ステップ６１５では、２つのフィールドＡ及びＢがマージされるべきかに関して判定が行われる。たとえば、フィールドＡ及びＢは同じプログレッシブピクチャからのフィールドであるかに関して判定が行われる。フィールドＡ及びＢがマージされるべきである場合、本方法は、ステップ６２５に続き、ここで垂直同期信号のパルス幅がＴ２に設定される。パルス幅Ｔ２は、来るべきフィールドＢが予め送出されたフィールドＡでマージされるべきかを示している。たとえば、フィールドが同じプログレッシブピクチャからのフィールドではないか、又は全然プログレッシブではないケースにおいて、フィールドがマージされない場合、本方法はステップ６２０に続く。ステップ６２０では、垂直同期信号のパルス幅は、来るべきフィールドＢがフィールドＡでマージされないことを示すＴ１に設定される。
【００３３】
垂直同期信号の幅を設定した後、フィールドＢはステップ６３０に送出される。ステップ６３５では、送出されるべき次のフィールドが識別される。ステップ６４０では、次のフィールドがこのケースではフィールドＢである送出された最後のフィールドでマージされるべきかに関して判定が行われる。マージされるべきである場合、本方法は、ステップ６５０に続き、ここで垂直同期信号のパルス幅は、送出されるべき次のフィールドがフィールドＢでマージされることを示すＴ２に設定される。しかし、マージされるべきではない場合、本方法はステップ６４５に続き、ここでは、垂直同期信号のパルス幅は、次のフィールドがフィールドＢでマージすることができないことを示すＴ１に設定される。垂直同期信号のパルス幅を設定した後、本方法はステップ６５５に続き、ここで次のフィールドが供給される。
【００３４】
ステップ６６０では、いずれかの更なる送出されるべきフィールドが残されているかに関して判定が行われる。残されている場合、本方法はステップ６３５に続き、次のフィールドを識別し、ビデオ信号の処理を必要に応じて繰り返す。残されていない場合、本方法は終了する。
【００３５】
本発明の１態様によれば、結果的に得られたプログレッシブビデオ信号は、出力装置に供給される。たとえば、結果的に得られるプログレッシブビデオ信号は、たとえば、ＬＣＯＳディスプレイ、若しくは直視型又は投射型陰極線管ディスプレイを有するＨＤＴＶモニタ又は受像機に供給される。さらに、本明細書で開示される発明は、本発明の精神又は本質的な特質から逸脱することなしに他の特定の形態で実施することができる。これに応じて、本発明の範囲を示すものとして上記の仕様よりはむしろ以下の特許請求の範囲が参照される。
【図面の簡単な説明】
【００３６】
【図１】インタレース−プログレッシブ走査変換を実行するための例示的なシステムを示すブロック図である。
【図２】インタレース−プログレッシブ走査変換を実行するための別の例示的なシステムを示すブロック図である。
【図３】通常の垂直同期信号と本発明に従って変調された垂直同期信号との間の違いを示す概念図である。
【図４】通常の垂直同期信号と本発明の別の態様に従って変調された垂直同期信号との間の違いを示す概念図である。
【図５】インタレース処理されたビデオをプログレッシブビデオに変換することにおいて使用される情報を転送するための例示的な方法を示すフローチャートである。
【図６】インタレース処理されたビデオをプログレッシブビデオに変換することにおいて使用される情報を転送するための別の例示的な方法を示すフローチャートである。
【図１】
2005525754.tif 000003
【図２】
2005525754.tif 000004
【図３】
2005525754.tif 000005
【図４】
2005525754.tif 000006
【図５】
2005525754.tif 000007
【図６】
2005525754.tif 000008
【国際調査報告】
2005525754.tif 000009